(57)【特許請求の範囲】
【請求項１】
少なくとも背凭れ部及び座部を備え、患者が着座可能な着座姿勢と、患者が仰向けに横たわることが可能なベッド姿勢との間で姿勢変更可能な椅子本体と、
肘を載せ置くことが可能な肘掛け部とを具備した点滴用椅子であって、
前記肘掛け部の一端部を前記背凭れ部に支持させるとともに、他端部を、前記椅子本体の姿勢変更に応じて当該肘掛け部と前記座部との相対高さ位置を調整する高さ調整機構に支持させ、
さらに前記肘掛け部が、患者が腕を置いた際にその長手方向に沿って腕の形状に略相応して窪み得るようにしたものであることを特徴とする点滴用椅子。
【請求項２】
前記高さ調整機構が、前記椅子本体の姿勢変更に伴う前記背凭れ部の傾倒動作又は起立動作に連動した前記肘掛け部の前後方向への移動を許容するものである請求項１記載の点滴用椅子。
【請求項３】
前記高さ調整機構を、床面に接地させた脚体と前記肘掛け部との間に介在させている請求項１又は２記載の点滴用椅子。
【請求項４】
前記高さ調整機構が、上端部を前記肘掛け部の下面部に枢着し且つ下端部を前記脚体の上面部に枢着した単一の連結部材により構成したものである請求項３記載の点滴用椅子。
【発明の詳細な説明】
【技術分野】
【０００１】
本発明は、病院等において好適に使用される点滴用椅子に関するものである。
【背景技術】
【０００２】
従来より、通常の椅子とは仕様の異なる点滴用の椅子が各種考えられている。点滴用椅子は、通常の椅子と比較して、少なくとも背凭れ部と座部とを備えた椅子本体が、患者が着座可能な着座姿勢と、患者が仰向けで横たわることが可能なベッド姿勢との間で姿勢変更する機能が要求されるとともに、注射針が刺さる対象である肘を置く肘掛け部が必須の要件となる。
【０００３】
このようなニーズに応え得る点滴用椅子として、例えば下記特許文献に示す椅子が挙げられる。具体的には、椅子本体の背凭れ部を、前記着座姿勢の場合に取り得る起立位置と前記ベッド姿勢の場合に取り得る傾倒位置との間で回動可能なものとする一方、肘掛け部を、前方へ略水平に延びる使用位置と、上方へ略垂直に延びる退避位置との間で回動可能なものとしている（例えば特許文献１参照）。この点滴用椅子は、患者が点滴を受ける場合、肘掛け部が、椅子本体の姿勢（着座姿勢又はベッド姿勢）に関係なく、使用位置に位置付けられたままである。つまり、椅子本体を着座姿勢とベッド姿勢との間で姿勢変更した場合であっても座部に対する肘掛け部の高さ位置は変わらないものである。
【特許文献１】実公平３―３４１７９号公報（図１及び図３等参照）
【発明の開示】
【発明が解決しようとする課題】
【０００４】
ところで、前述した以外に点滴用椅子として要求される重要な点は、点滴を受ける患者が肘掛け部に肘を載せ置いた状態で、椅子本体を着座姿勢とベッド姿勢との間で適宜姿勢変更した場合、その姿勢変更の前後において患者に無理な姿勢又は違和感を感じるような姿勢を強要するものであってはならないという点である。
【０００５】
しかしながら、前記特許文献に示す椅子は、上述した通り、椅子本体を着座姿勢とベッド姿勢との間で姿勢変更した場合であっても肘掛け部の高さ位置は変わらないものであるため、患者が着座姿勢にある椅子本体に着座して肘掛け部に肘を置いた状態で、椅子本体を、背凭れ部を所定角度後傾させたベッド姿勢に姿勢変更した場合、高さ位置が変わらない肘掛け部に肘を置いたまま患者の上半身だけが後傾し、肘を含む腕全体が腕以外の身体に対して患者が違和感を感じる高い位置に位置付けられ、患者にとっては、通常の仰向けに横たわる姿勢とは異なる無理な姿勢を強要されるものである。
【０００６】
このような不具合は、そもそも、肘を含む腕と腕以外の身体との違和感の感じない良好な相対位置関係が、患者が着座した場合と仰向けに横たわった場合とでは異なることに起因するものと思われる。
【０００７】
本発明は、このような課題に着目してなされたものであって、主たる目的は、椅子本体を着座姿勢とベッド姿勢との間で姿勢変更した場合であっても肘を肘掛け部に違和感なく自然な状態で置くことができる点滴用椅子を提供することにある。
【課題を解決するための手段】
【０００８】
すなわち、本発明の点滴用椅子は、少なくとも背凭れ部及び座部を備え、患者が着座可能な着座姿勢と、患者が仰向けに横たわることが可能なベッド姿勢との間で姿勢変更可能な椅子本体と、肘を載せ置くことが可能な肘掛け部とを具備した点滴用椅子であって、前
記肘掛け部の一端部を前記背凭れ部に支持させるとともに、他端部を、前記椅子本体の姿勢変更に応じて当該肘掛け部と前記座部との相対高さ位置を調整する高さ調整機構に支持させ、さらに前記肘掛け部が、患者が腕を置いた際にその長手方向に沿って腕の形状に略相応して窪み得るようにしたものであることを特徴とする。
【０００９】
このようなものであれば、肘掛け部が椅子本体の姿勢変更に伴い、背凭れ部の傾倒動作又は起立動作に追従して動くとともに、高さ調整機構により肘掛け部と座部との相対高さ位置を変更させることができ、従来のように、椅子本体の姿勢変更に関係なく所定の高さ位置に固定された肘掛け部を備えた椅子と比較して、患者が肘を含む腕を、着座又は横たわった状態の何れにおいても違和感がなく自然な状態で肘掛け部に載せ置くことが可能であり、患者が肘掛け部に肘を載せ置いた状態で、椅子本体を着座姿勢とベッド姿勢との間で適宜姿勢変更した場合、その姿勢変更前後又は姿勢変更中に患者に無理な姿勢又は違和感を感じるような姿勢を強要することがない。
さらに、前記肘掛け部が、患者が腕を置いた際に肘掛け部の長手方向に沿って腕の形状に略相応して窪み得るようにしたものであるので、肘掛け部に腕を置いた際に患者が良好なホールド感を得ることができるとともに、腕に係る負担を軽減することができ、点滴用椅子としてより実用性のあるものとなる。
【００１０】
特に、前記高さ調整機構が、前記椅子本体の姿勢変更に伴う前記背凭れ部の傾倒動作又は起立動作に連動した前記肘掛け部の前後方向への移動を許容するものであれば、高さ調整機構によって肘掛け部の円滑な前後方向への移動を実現するとともに、背凭れ部の動作に連動した肘掛け部の前後方向への移動を許容する別途専用の機構を設ける必要がなく、構造の簡略化を図ることができる。
【００１１】
また、高さ調整機構の安定した動作を実現するには、高さ調整機構を、床面に接地させた脚体と前記肘掛け部との間に介在させていることが望ましい。
【００１２】
具体的な実施態様としては、前記高さ調整機構が、上端部を前記肘掛け部の下面部に枢着し且つ下端部を前記脚体の上面部に枢着した単一の連結部材により構成したものであることが挙げられる。
【発明の効果】
【００１４】
以上説明したように本発明によれば、肘掛け部が、椅子本体の姿勢変更に応じて、背凭れ部の後傾動作又は起立動作に追従して動くとともに、高さ調整機構により座部との相対高さ位置を変更させることができ、従来のように、椅子本体の姿勢変更に関係なく一定の高さ位置に固定された肘掛け部を備えた椅子と比較して、患者が肘を含む腕を、着座又は横たわった状態の何れにおいても違和感がなく自然な状態で肘掛け部に載せ置くことが可能であり、点滴治療を受ける患者にとって無理な姿勢又は違和感を感じるような姿勢を強いられることがなく、好適である。
【発明を実施するための最良の形態】
【００１５】
以下、本発明の一実施形態を、図面を参照して説明する。
【００１６】
本実施形態に係る点滴用椅子Ｃは、図１に示すように、左右一対の脚体１と、脚体１に所定のリンク機構Ｌを介して支持される椅子本体２と、左右一対の肘掛け部３とを備えたものである。
【００１７】
脚体１は、略水平方向に延びる下面部１ａにアジャスタ１１を設け、上面部１ｂを前方に向かって漸次斜め上方に傾斜させた側面視異形四角形状をなすものである。
【００１８】
椅子本体２は、主として腕以外の上半身を支持する背凭れ部２１と、主として臀部及び大腿部を支持する座部２２と、主として膝裏及びふくらはぎを支持するレッグレスト部２３とを備え、これら各部（背凭れ部２１、座部２２、レッグレスト部２３）を共通のリンク機構Ｌを作動させることにより、患者が着座可能な着座姿勢（２ｘ）と、患者が仰向けに横たわることが可能なベッド姿勢（２ｙ）との間で姿勢変更するものである。
【００１９】
具体的に、背凭れ部２１は、下半部側を上半部側に対して前方に向かって側面視略弓形に膨出させてなる背凭れ部本体２１１と、背凭れ部本体２１１の上端部に設けたヘッドレスト部２１２とを縫合等により一体的に備えたものである。
【００２０】
座部２２は、略フラット状の上面部２２ａを有し、椅子本体２を着座姿勢（２ｘ）にした場合に、前端部が後端部よりも相対的に高い位置に位置付けられるものである。
【００２１】
レッグレスト部２３は、椅子本体２をベッド姿勢（２ｙ）にした場合に、患者のふくらはぎを支持するレッグレスト部本体２３１と、患者の膝裏を支持する膝置き部２３２とを備えたものである。
【００２２】
そして、図１及び図２に示すように、椅子本体２が着座姿勢（２ｘ）にある場合、背凭れ部２１は起立位置に位置付けられ、且つレッグレスト部２３は、レッグレスト部本体２３１と膝置き部２３２とをそれぞれ起立姿勢の状態で前後方向に重合させ、この状態におけるレッグレスト部本体２３１の前面部が座部２２の前端部と略同一又は若干奥方（後方）に位置付けられるように設定してある。このような椅子本体２を着座姿勢（２ｘ）からベッド姿勢（２ｙ）へ姿勢変更する場合、図２〜図５に示すように、その過程において、背凭れ部２１が漸次前方にスライド移動しながら後傾して傾倒位置に位置付けられるとともに、座部２２がその前端部を後端部よりも相対的に高い位置に位置付けた状態で上昇しながら前方へ移動し、さらに、レッグレスト部本体２３１及び膝置き部２３２がそれぞれ起立姿勢から傾倒姿勢へ姿勢変更しながら前方へ移動する。なお、これら各部（背凭れ部２１、座部２２、レッグレスト部２３）の移動は前記共通のリンク機構Ｌ及びこのリンク機構Ｌを駆動させる図示しない駆動部によって実現される。これらリンク機構Ｌ及び駆動部は周知のものを適用しているため、詳細な説明は省略する。
【００２３】
しかして、肘掛け部３は、上面部３ａをフラット状にした前後方向に延びるものである。この肘掛け部３は、患者が腕を置いた際にその長手方向に沿って腕の形状に略相応して窪み得るようにしたものである。具体的には、例えば図６（同図は肘掛け部３の横断面を模式的に示す図である）に示すように、肘掛け部３の長手方向に沿った中央部位に配する第１クッション３Ｃａの厚み寸法を、長手方向に沿った両側縁部に配する一対の第２クッション３Ｃｂの厚み寸法よりも小さく設定し、これらクッション３Ｃａ、３Ｃｂを一枚の表面材３Ｈによって表面に皺が生じないように被覆することにより、第１クッション３Ｃａと、表面材３Ｈとの間に空洞３Ｓを形成している。このような構成を採用したため、患者が肘掛け部３に腕を置いた際に前記空洞３Ｓにより肘掛け部３がその長手方向に沿って腕をホールドするように窪み得る。なお、他の実施例として、第１クッション３Ｃａ、第２クッション３Ｃｂの高さ寸法を略同一に設定し、第１クッション３Ｃａの弾性反発力を第２クッション３Ｃｂの弾性反発力よりも弱く設定した態様が挙げられる。なお、この場合も、第１クッション３Ｃａ、第２クッション３Ｃｂを表面材３Ｈで被覆していることはいうまでもない。そして、この肘掛け部３の一端部を背凭れ部２１に支持させるとともに、他端部を、椅子本体２の姿勢変更に応じて肘掛け部３と座部２２との相対高さ位置を調整する高さ調整機構Ｈに支持させている。具体的には、肘掛け部３の下面部３ｂに、肘掛け部３の長手寸法よりも若干小さい長手寸法を有する薄板状のステー３１をビス止め等により固着し、このステー３１の後端部側に設けた軸部３２を背凭れ部２１に軸着するとともに、ステー３１の前端部側に高さ調整機構Ｈの一端部を軸着している。なお、何れか一方の肘掛け部３（図示例では右側の肘掛け部３）に、駆動部に駆動信号を伝達するためのコントローラＸを保持する保持部３３を設けている（図１参照）。本実施形態では、保持部３３として、一本の線材を側面視略上向き門型状に折曲加工したものを適用し、この保持部３３に、コントローラＸの背面部に設けた引っ掛け部Ｘａを引っ掛けることによりコントローラＸを保持するようにしている。
【００２４】
高さ調整機構Ｈは、前記脚体１と肘掛け部３との間に設けられ、上端部を肘掛け部３の下面部３ｂ（ステー３１）に枢着し且つ下端部を脚体１の上面部１ｂに枢着した単一の連結部材４からなるものである。この連結部材４は、例えば金属素材から形成された略直方体状をなす連結部材本体４１と、連結部材本体４１の上端部及び下端部に設けられ且つ連結部材本体４１に対してそれぞれ軸部４１ａ、４１ｂを介して連結部材本体４１の長手方向に沿った鉛直方向に回動し得る一対の回動部４２、４３とを備えたものである。そして、一方の回動部４２を肘掛け部３の下面部３ｂ（ステー３１）における前端部近傍部位にビス止め等により固定するとともに、他方の回動部４３を脚体１の上面部１ｂにおける前端部側にビス止め等により固定している。
【００２５】
次に、このような構成を有する点滴用椅子Ｃの作用を、特に肘掛け部３及び高さ調整機構Ｈの動きに着目して説明する。
【００２６】
先ず、椅子本体２が図２に示す前記着座姿勢（２ｘ）にある場合、肘掛け部３が床面Ｆに略平行な姿勢で保持され、高さ調整機構Ｈの連結部材４が、その上端部（回動部４２）を下端部（回動部４３）よりも奥方（後方：同図中左側）へ位置付けた後傾姿勢をとる。そして、椅子本体２の着座姿勢（２ｘ）からベッド姿勢（２ｙ）への姿勢変更に応じて、肘掛け部３及び高さ調整機構Ｈは以下のように作動する。
【００２７】
すなわち、背凭れ部２１が前方へスライド移動しながら後傾する動作に追従して、一端部を背凭れ部２１に支持させた肘掛け部３が前方へ移動する。この際、高さ調整機構Ｈの連結部材４が、図３〜図４に示すように軸部４１ｂを支点に回動部４２を背凭れ部２１から離間させ方向（図示例では時計回り）に回動するとともに、回動部４２が軸部４１ａを支点に回動することにより肘掛け部３は水平移動する。そして、図５に示すように椅子本体２を完全にベッド姿勢（２ｙ）に移行させた状態において、高さ調整機構Ｈの連結部材４が、その上端部（回動部４２）を下端部（回動部４３）よりも前方（後方：同図中右側）へ位置付けた前傾姿勢をとり、この高さ調整機構Ｈにより、前方へ水平移動した肘掛け部３と、上昇しながら前方へ移動した座部２２との相対高さ位置、つまり相互の離間距離が、着座姿勢（２ｘ）にある場合の座部２２と肘掛け部３との離間距離よりも小さくなり、仰向けに横たわった状態で肘を自然な姿勢で肘掛け部３に載せ置くことができる。その結果、肘掛け部３に肘を載せ置いた状態で、椅子本体２を着座姿勢（２ｘ）とベッド姿勢（２ｙ）との間で適宜姿勢変更した場合、その姿勢変更の前後又はその姿勢変更中において違和感がなく自然な状態で肘を含む腕を肘掛け部３に載せ置くことができ、点滴治療に適した椅子Ｃとなる。
【００２８】
このように、本実施形態に係る点滴用椅子Ｃは、肘掛け部３の一端部を背凭れ部２１に支持させるとともに、他端部を、椅子本体２の姿勢変更に応じて肘掛け部３と座部２２との相対高さ位置を調整する高さ調整機構Ｈに支持させているため、肘掛け部３が、椅子本体２の姿勢変更に応じて背凭れ部２１の後傾動作又は起立動作に追従して動くとともに、高さ調整機構Ｈにより座部２２との相対高さ位置を変更させることができ、従来のように、椅子本体の姿勢変更に関係なく床面から一定の高さ位置に固定された肘掛け部を備えた椅子と比較して、患者が肘を含む腕を、着座又は横たわった状態の何れにおいても違和感がなく自然な状態で肘掛け部３に載せ置くことが可能であり、患者に無理な姿勢又は違和感を感じるような姿勢を強要することがない。
【００２９】
特に、高さ調整機構Ｈが、椅子本体２の姿勢変更に伴う背凭れ部２１の傾倒動作又は起立動作に連動した肘掛け部３の前後方向への移動を許容するものであるため、この高さ調整機構Ｈにより、座部２２及び背凭れ部２１に対する肘掛け部３の適切な相対位置を確保することができ、椅子本体２の姿勢変更時における肘掛け部３の円滑な移動を実現することができる。さらに、高さ調整機構Ｈとは別に、椅子本体２の姿勢変更に伴う背凭れ部２１の傾倒動作又は起立動作に連動した肘掛け部３の前後方向への移動を許容する専用の機構を設ける必要がないため、構造の簡略化に資する。
【００３０】
また、高さ調整機構Ｈを、床面Ｆに接地させた脚体１（いわば静止体）と肘掛け部３（いわば可動体）との間に介在させているため、高さ調整機構Ｈを、可動体と可動体との間に介在させる態様と比較して高さ調整機構Ｈの安定した動作を実現することができる。
【００３１】
加えて、高さ調整機構Ｈが、上端部を肘掛け部３の下面部１ａに枢着し且つ下端部を脚体１の上面部１ｂに枢着した単一の連結部材４により構成したものであるため、高さ調整機構Ｈの構造を極めて簡素なものとし、コストの削減を有効に図ることができる。
【００３２】
一方、肘掛け部３が、患者が腕を置いた際に肘掛け部３の長手方向に沿って腕の形状に略相応して窪み得るようにしたものであるため、腕が肘掛け部３にフィットして良好なホールド感を患者が得ることができるとともに、肘に係る負担を軽減することができ、点滴用椅子としてより実用性のあるものとなる。
【００３３】
なお、本発明は、以上に詳述した実施形態に限られるものではない。
【００３４】
例えば、前記実施形態では、椅子本体を着座姿勢とベッド姿勢との間で姿勢変更した場合に背凭れ部及び座部がそれぞれ所定の２位置間を移動する態様を例示したが、これに限らず、椅子本体を着座姿勢とベッド姿勢との間で姿勢変更した場合に背凭れ部のみが起立位置及び後傾位置との間で移動するものであってもよい。この場合の高さ調整機構としては、背凭れ部の移動に応じて肘掛け部を座部に対して積極的に上下動させるものが挙げられる。このような高さ調整機構であっても肘掛け部と座部との相対高さ位置を好適に調整することが可能である。
【００３５】
また、高さ調整機構として、前記実施形態で示した単一の連結部材を用いたものの他、複数の連結部材（リンク要素）を用いたもの、又は一又は複数のガススプリング等の伸縮部材を用いて構成したもの等であっても構わない。さらに、高さ調整機構を電気的に作動させるようにしてもよい。
【００３６】
また、肘掛け部のクッション性を高める態様として、肘掛け部の両端部の芯材（クッション）と中央部位の芯材（クッション）との弾性反発力の程度を異ならせたり、各芯材の境界部分を所定角度傾斜させ、境界部分における弾性反発力が漸次変化するようにしてもよい。
【００３７】
その他、各部の具体的構成についても上記実施形態に限られるものではなく、本発明の趣旨を逸脱しない範囲で種々変形が可能である。
【図面の簡単な説明】
【００３８】
【図１】本発明の一実施形態に係る点滴用椅子の全体斜視図。
【図２】同実施形態に係る点滴用椅子の側面を模式的に示す図。
【図３】作用説明図。
【図４】作用説明図。
【図５】作用説明図。
【図６】同実施形態に係る肘掛け部の横断面を模式的に示す図。
【符号の説明】
【００３９】
１…脚体
２…椅子本体
（２ｘ）…着座姿勢
（２ｙ）…ベッド姿勢
２１…背凭れ部
２２…座部
３…肘掛け部
４…連結部材
Ｃ…点滴用椅子
Ｆ…床面
Ｈ…高さ調整機構
【図１】
0004843809.tif 000002
【図２】
0004843809.tif 000003
【図３】
0004843809.tif 000004
【図４】
0004843809.tif 000005
【図５】
0004843809.tif 000006
【図６】
0004843809.tif 000007